(57)【要約】【課題】掃除具を別途用意することなく封水筒を手軽且つ簡単に掃除できる排水トラップを提供する。【解決手段】上方に開口する有底筒状のトラップ本体１の内側に封水筒２を配設する。これによりトラップ本体１の内部に封水部７を形成する。トラップ本体１の上開口を覆うヘアキャッチャ３に封水筒２の内側に配置されて封水筒２の内面に付着した汚れを除去するための掃除用部材４を設ける。【選択図】図１
2008106553.tif 000002
【特許請求の範囲】
【請求項１】
上方に開口する有底筒状のトラップ本体の内側に封水筒を配設することで、トラップ本体の内部に封水部を形成し、トラップ本体の上開口を覆うヘアキャッチャに封水筒の内側に配置されて封水筒の内面に付着した汚れを除去するための掃除用部材を設けて成ることを特徴とする排水トラップ。
【請求項２】
掃除用部材は封水筒の内面に付着した汚れを除去するための掃除部を備え、該掃除部はヘアキャッチャをトラップ本体の上開口を覆う位置に配置した状態で封水筒の内面に当接するものであることを特徴とする請求項１に記載の排水トラップ。
【請求項３】
掃除用部材はヘアキャッチャに取付けられる構造体を備え、該構造体は、環状の線材で構成した上枠部と、同じく環状の線材で構成した上枠部の下方に位置する下枠部と、上枠部と下枠部を連結する複数の線材で構成した連結部とを備え、前記掃除部を連結部に沿って設けて成ることを特徴とする請求項２に記載の排水トラップ。
【請求項４】
掃除用部材をヘアキャッチャに対して着脱自在に取付けて成ることを特徴とする請求項１乃至３のいずれか１項に記載の排水トラップ。
【請求項５】
掃除用部材を、ヘアキャッチャに取付けられる構造体と、該構造体に設けられて封水筒の内面に付着した汚れを除去するための掃除部とで構成し、前記構造体は金属製又は金属でメッキされたものであることを特徴とする請求項１乃至請求項４のいずれか１項に記載の排水トラップ。
【発明の詳細な説明】
【技術分野】
【０００１】
本発明は有底筒状のトラップ本体の内側に封水筒を配設した排水トラップに関する。
【背景技術】
【０００２】
従来の浴室の洗い場等に設置される排水トラップとしては、図６に示すように上方に開口する有底筒状のトラップ本体１の内側に封水筒２を配設することで、トラップ本体１の内部に封水部７を形成したものがあり、このものは封水部７に溜めた水により下水管やトラップ本体１からの臭気が浴室内に侵入することを防止している。なお図６中３は封水筒２の上開口を覆うヘアキャッチャであり、浴室の洗い場から流れてきた髪の毛やごみを補足できるようになっている。例えば特許文献１にはこの種の排水トラップが開示されている。
【０００３】
ところで上記図６に示す排水トラップの封水筒２は常時トラップ本体１に溜めた汚水に浸かった状態となるため垢やゴミなどの汚れが付着し易く、ヌメリや悪臭が発生する。このため封水筒２は定期的に掃除具で掃除する必要がある。封水筒２を掃除する方法としては、トラップ本体１から封水筒２を取り外して行う方法があるが、封水筒２をトラップ本体１から取り外す作業は面倒であり、また封水筒２が外に出て室内に悪臭が発生してしまうなど悪環境の中の作業となるし、またヌメリにより滑りやすて持ち難い封水筒２を手に持って清掃する必要があって非常に面倒である。従って上記封水筒２を取り外して行う掃除はそれ程行われるものではなく、普段は封水筒２をトラップ本体１に取り付けた状態で、ブラシ等の掃除具により封水筒２の内面を掃除する。しかしこのような封水筒２の内面の掃除はその都度別途ブラシ等の掃除具を用意して掃除を行う必要があって非常に面倒であり、定期的に行う必要のある封水筒２の内面の掃除が敬遠されがちとなる。またこの場合、掃除した後の汚れた掃除具を置く場所にも困る。
【特許文献１】特開２００５−３２５５２４号公報
【発明の開示】
【発明が解決しようとする課題】
【０００４】
本発明は上記従来の問題点に鑑みて発明したものであって、掃除具を別途用意することなく封水筒を手軽且つ簡単に掃除できる排水トラップを提供することを課題とする。
【課題を解決するための手段】
【０００５】
上記課題を解決するために本発明に係る排水トラップは、上方に開口する有底筒状のトラップ本体１の内側に封水筒２を配設することで、トラップ本体１の内部に封水部７を形成し、トラップ本体１の上開口を覆うヘアキャッチャ３に封水筒２の内側に配置されて封水筒２の内面に付着した汚れを除去するための掃除用部材４を設けて成ることを特徴とする。
【０００６】
上記構成により、別途ブラシなどの掃除具を用意することなく、ヘアキャッチャ３に設けた掃除用部材４により封水筒２の内面に付着した垢やゴミなどの汚れを除去でき、悪臭やヌメリの発生を防止できる。また封水筒２の内面を掃除しないときには掃除用部材４は封水筒２の内側に収納しておくことができる。
【０００７】
また請求項２は請求項１において、掃除用部材４は封水筒２の内面に付着した汚れを除去するための掃除部２０を備え、該掃除部２０はヘアキャッチャ３をトラップ本体１の上開口を覆う位置に配置した状態で封水筒２の内面に当接するものであることを特徴とする。
【０００８】
上記のように封水筒２の内面に付着した汚れを除去するための掃除部２０はヘアキャッチャ３をトラップ本体１の上開口を覆う位置に配置した状態で封水筒２の内面に当接するものであるので、ヘアキャッチャ３を手で持って封水筒２に対して回転すれば封水筒２の内面に付着した汚れを掃除部２０で擦り取って除去することができる。
【０００９】
また請求項３は請求項２において、掃除用部材４はヘアキャッチャ３に取り付けられる構造体１９を備え、該構造体１９は、環状の線材で構成した上枠部２１と、同じく環状の線材で構成した上枠部２１の下方に位置する下枠部２２と、上枠部２１と下枠部２２を連結する複数の線材２３ａで構成した連結部２３とを備え、前記掃除部２０を連結部２３に沿って設けて成ることを特徴とする。
【００１０】
上記のように掃除用部材４の構造体１９を線材で形成することで、構造体１９で封水筒２内の水の流れに支障をきたすことを防止できる。
【００１１】
また請求項４は請求項１乃至３のいずれか１項において、掃除用部材４をヘアキャッチャ３に対して着脱自在に取り付けて成ることを特徴とする。
【００１２】
上記のように掃除用部材４をヘアキャッチャ３に対して着脱自在としたことで、掃除により汚れた掃除用部材４をヘアキャッチャ３から取り外して容易に洗浄でき、また掃除用部材４の汚れが酷くなったり、損傷した場合には、掃除用部材４を交換するだけでよく、ヘアキャッチャ３を交換することなくそのまま使用でき、コストダウンがはかれる。
【００１３】
また請求項５は請求項１乃至４のいずれか１項において、掃除用部材４を、ヘアキャッチャ３に取り付けられる構造体１９と、該構造体１９に設けられて封水筒２の内面に付着した汚れを除去するための掃除部２０とで構成し、前記構造体１９は金属製又は金属でメッキされたものであることを特徴とする。構造体１９を金属製又は金属でメッキされたものとすることで、構造体１９に汚れが付着し難くなる。
【発明の効果】
【００１４】
請求項１に係る発明では、別途ブラシなどの掃除具を用意することなく、ヘアキャッチャに設けた掃除用部材により封水筒の内面に付着した垢やゴミなどの汚れを手軽に除去できる。また封水筒の内面を掃除しないときには掃除用部材を封水筒の内側に収納しておくことができ、汚れた掃除用部材の置き場所に困らない。
【００１５】
また請求項２に係る発明では、請求項１に係る発明の効果に加えて、ヘアキャッチャを封水筒に対して回転すれば封水筒の内面に付着した汚れを掃除部で擦り取って除去することができる。また特にヘアキャッチャがトラップ本体等に対して回転して取り付けられるものであれば、髪やゴミ等が詰まった時など、比較的頻繁に取り外されるヘアキャッチャを取り外したり、取り付けたりする際に掃除部で封水筒の内面の汚れを除去できる。
【００１６】
また請求項３に係る発明では、請求項２に係る発明の効果に加えて、構造体で封水筒内の水の流れに支障をきたすことを防止できて、封水筒内の水をスムーズに排水できる。
【００１７】
また請求項４に係る発明では、請求項１乃至３のいずれか１項に係る発明の効果に加えて、掃除により汚れた掃除用部材４をヘアキャッチャから取り外して容易に洗浄できる。また掃除用部材の汚れが酷くなったり、損傷した場合には、掃除用部材を交換するだけでよく、ヘアキャッチャをそのまま使用できる。
【００１８】
また請求項５に係る発明では、請求項１乃至請求項４のいずれか一項に係る発明の効果に加えて、構造体に汚れが付着してヌメリ等が発生することを防止できる。
【発明を実施するための最良の形態】
【００１９】
以下、本発明を添付図面に示す実施形態に基づいて説明する。図１に示す本例の排水トラップは浴室の洗い場側の床パン６に設けられるものであり、上方に開口して床パン６上に通じる有底筒状のトラップ本体１と、トラップ本体１の内側に配設されてトラップ本体１の内部に封水部７を形成する封水筒２と、トラップ本体１の上開口を覆うヘアキャッチャ３と、ヘアキャッチャ３に設けた封水筒２の内面を掃除するための掃除用部材４を備えている。
【００２０】
トラップ本体１は洗い場を構成する床パン６に形成した開口部に設けられて床パン６で構成された床に排水部を形成するものである。トラップ本体１の周壁部の上部には外側方に突出する排水口部５を形成してあり、周壁部の排水口部５よりも下方の部分は水が溜まる溜水部８となっている。排水口部５は図示しない下水管に接続され、トラップ本体１の溜水部８から流れてきた水を排水口部５を通じて下水管に排水できるようになっている。トラップ本体１の周壁部の上部内周面において周壁部の排水口部５よりも上方に位置する部分からは内側方に向けてフランジ状の筒受け部９を突出している。トラップ本体１の周壁部の上端部の内周面には外側方に向かって一段凹む段部を形成してあり、これによりトラップ本体１の周壁部の上端部の内側には平面視円形で上方に開口するヘアキャッチャ収納部１０が形成されている。また図２に示すようにヘアキャッチャ収納部１０の内周面からは内側方に向けて係合突起部１１を突出している。
【００２１】
封水筒２は上下に開口する円筒状に形成してあり、封水筒２の上端部は下方部分よりも大径の大径部１２となっている。封水筒２は大径部１２をトラップ本体１の周壁部の上部に嵌め込むと共にトラップ本体１の筒受け部９で受けた状態でトラップ本体１に取り付けられる。封水筒２の下端はトラップ本体１の排水口部５よりも下方に位置してトラップ本体１の溜水部８に溜まる水に浸けられ、この封水筒２の排水口部５よりも下方に位置する部分とトラップ本体１の溜水部８とで排水トラップの封水部７を形成している。
【００２２】
図３に示すようにヘアキャッチャ３は平面視円形で多数の排水孔１３を有する目皿部１４で主体を構成してあり、目皿部１４を網目状に形成することで多数の排水孔１３が形成されている。図２に示すように円形の目皿部１４の外周面、即ちヘアキャッチャ３の外周面には係合溝部１５を設けてあり、ヘアキャッチャ３をヘアキャッチャ収納部１０に収納して図１の矢印イに示す方向に回転操作することで、係合溝部１５を上記トラップ本体１のヘアキャッチャ収納部１０に設けた係合突起部１１に係合自在となっている。つまり例えば目皿部１４の外周面には係合溝部１５の端部から目皿部１４の下端に通じる通過用切欠が形成してあり、ヘアキャッチャ３はこの通過用切欠に係合突起部１１を通過させる等してヘアキャッチャ収納部１０に収納され、この状態でヘアキャッチャ３を一方向に回転操作して係合溝部１５と係合突起部１１を係合することでトラップ本体１に取り付けられ、また、取り付け状態で上記と逆に回転して上方に引き上げることで係合溝部１５と係合突起部１１との係合を解除してヘアキャッチャ３を取り外すことができるようになっている。このようにヘアキャッチャ３の係合溝部１５とトラップ本体１の係合突起部１１を係合することで、排水時の圧力によりヘアキャッチャ３が浮き上がることを防止できるものである。
【００２３】
ヘアキャッチャ３の目皿部１４の中央部には上方に向けて突出するオーバーフロー管部１７を形成してあり、オーバーフロー管部１７の下開口は図１に示すようにヘアキャッチャ３をトラップ本体１に取り付けた状態で封水筒２内に臨んでいる。オーバーフロー管部１７の上開口は目皿部１４よりも上方に位置しており、目皿部１４がゴミ等で目詰まりしたとしても床パン６上の水をオーバーフロー管部１７の上開口から排水できるようになっている。
【００２４】
目皿部１４の円形の外周部、即ちヘアキャッチャ３の外周部において、両側の上端部には外側方に向けて摘み用突片１８を突出している。摘み用突片１８は先端側が目皿部１４やトラップ本体１よりも上方に位置しており、ヘアキャッチャ３を回転操作したり、取り外したり、取り付ける際等にこの摘み用突片１８を指で摘めるようになっている。
【００２５】
掃除用部材４は封水筒２の内側に配置されるものであり、図４及び図５に示すようにヘアキャッチャ３の目皿部１４に着脱自在に取り付けられる構造体１９と、封水筒２の内面に付着した汚れを除去するための掃除部２０とからなり、掃除部２０は構造体１９に設けられる。
【００２６】
構造体１９の素材としては合成樹脂や金属などが挙げられるが、ステンレスや銅などのヌメリ等の発生を抑えることができる金属製や、金属でメッキしたものが好ましく、本例ではステンレス等の金属製線材で構造体１９を形成してある。構造体１９は、平面視円形の環状の線材で構成した上枠部２１と、同じく平面視円形の環状の線材で構成した上枠部２１の下方に位置する下枠部２２と、上枠部２１と下枠部２２を連結する複数の線材２３ａで構成した連結部２３とを備えている。図示例では連結部２３を構成する上下に延びる線材２３ａを等間隔で４か所配置し、各線材２３ａで上枠部２１と下枠部２２の周方向の一部同士を連結して構造体１９を形成している。連結部２３を構成する各線材２３ａの下端は下枠部２２に連結してあるが、上端部は上枠部２１よりも上方に突出している。各線材２３ａの上枠部２１よりも上方に突出した上端は外側に折り曲げた後、下方に折り曲げて折り返されており、これにより各連結部２３の上端部に引掛け部２４を形成している。掃除用部材４は上記構造体１９の上端部に設けた各連結部２３の引掛け部２４を図１や図３に示すようにヘアキャッチャ３の目皿部１４の周方向における４箇所の排水孔１３に下方から通して目皿部１４に引っ掛けることで吊り下げ状態で取り付けられるものであり、これにより掃除用部材４はヘアキャッチャ３に対して着脱自在となっている。
【００２７】
掃除部２０はスポンジ又はブラシからなり、封水筒２の内面に擦りつけて掃除を行えるようになっている。各掃除部２０は連結部２３を構成する各線材２３ａに接着等により取り付けられる。掃除部２０は各線材２３ａの上枠部２１と下枠部２２を連結する部分の全長に亘る部分に設けてあり、各線材２３ａの外側に位置する。
【００２８】
上記のように掃除用部材４をヘアキャッチャ３に引っ掛けて取り付け、このヘアキャッチャ３を前述したようにヘアキャッチャ収納部１０に収納し、回転して係合溝部１５を係合突起部１１に係合することで、図１に示すように掃除用部材４は封水筒２の内側に収納される。このようにヘアキャッチャ３をヘアキャッチャ収納部１０に収納して取り付けた状態、即ちヘアキャッチャ３をトラップ本体１の上開口を覆う所定の位置に配置した状態では、各掃除部２０は封水筒２の内面に当接する。なおこの場合、掃除用部材４の構造体１９は封水筒２よりも下方には突出していないが、封水筒２の上下略全長に亘っており、各掃除部２０は封水筒２の溜水部８よりも上方の部分から溜水部８に至る部分（即ち排水口部５よりも下方に位置する部分）にまで亘って形成されており、封水筒２の溜水部８に浸けられる部分も含めて大径部１２よりも下方の部分の略全部の内面を掃除できるようになっている。
【００２９】
上記掃除用部材４で封水筒２の内面を掃除するには、図１の矢印イに示すようにヘアキャッチャ収納部１０に収納されたヘアキャッチャ３をヘアキャッチャ収納部１０に収納した状態のまま回動したり、またヘアキャッチャ３をヘアキャッチャ収納部１０から取り出して、該ヘアキャッチャ３に設けた掃除用部材４を封水筒２内に挿入して掃除部２０を封水筒２の内面に当接した状態でヘアキャッチャ３を回転するなどして行う。これにより封水筒２内の掃除用部材４は矢印ロに示すようにヘアキャッチャ３と共に回転し、封水筒２の内面に沿って掃除用部材４に設けた掃除部２０が摺動して、該掃除部２０により封水筒２の内面に付着した垢やゴミなどの汚れが掃除用部材４に設けた掃除部２０によって擦り取られることとなる。
【００３０】
このように本発明ではトラップ本体１の上開口を覆うヘアキャッチャ３に封水筒２の内側に配置されて封水筒２の内面に付着した汚れを除去するための掃除用部材４を設けたので、ヘアキャッチャ３に設けた掃除用部材４により封水筒２の内面に付着した垢やゴミなどの汚れを手軽且つ簡単に除去できる。
【００３１】
また本例では封水筒２の内面に付着した汚れを除去するための掃除部２０はヘアキャッチャ３を封水筒２の上開口を覆う位置に配置した状態で封水筒２の内面に当接するものであるので、ヘアキャッチャ３を手で持って封水筒２に対して回転すれば封水筒２の内面に付着した汚れを掃除部２０で擦り取って除去することができる。また本例のようにヘアキャッチャ３がトラップ本体１等に対して回転して取り付けられるものであれば、ヘアキャッチャ３を取り外したり、取り付けたりする際にはヘアキャッチャ３と共に掃除用部材４も回転し、この場合も掃除部２０で封水筒２の内面の汚れを取ることができる。また封水筒２の内面を掃除しないときには掃除用部材４は封水筒２の内側に収納しておくことができる。
【００３２】
また本例では、掃除用部材４を、環状の線材で構成した上枠部２１と、環状の線材で構成した上枠部２１の下方に位置する下枠部２２と、上枠部２１と下枠部２２を連結する複数の線材２３ａで構成した連結部２３とを備えた構造体１９と、連結部２３に沿って設けた掃除部２０とで構成したので、床パン６上から封水筒２内に流れこんだ排水は構造体１９の環状の線材からなる上枠部２１内や下枠部２２内、連結部２３を構成する複数の線材２３ａ間を通過することができ、これにより構造体１９で封水筒２内の水の流れに支障をきたすことを防止できて、封水筒２内の水をスムーズに排水できる。
【００３３】
また本例では掃除用部材４をヘアキャッチャ３に対して着脱自在としたので、掃除により汚れた掃除用部材４をヘアキャッチャ３から取り外して容易に洗浄でき、また掃除用部材４の汚れが酷くなったり、損傷したりした場合には、掃除用部材４を交換するだけでよく、ヘアキャッチャ３は交換せずにそのまま使用できる。
【００３４】
なお本例のヘアキャッチャ３は既述の係合溝部１５と係合突起部１１を係合することでトラップ本体１に取り付けられるようにしたが、例えばヘアキャッチャ３の外周面に雄螺子部を形成すると共にトラップ本体１のヘアキャッチャ収納部１０の内周面に雌螺子部を形成し、ヘアキャッチャ３の雄螺子部をトラップ本体１の雌螺子部に螺合して着脱自在に取り付けられるようにしても良く、この場合もヘアキャッチャ３の取付け、取り外しの際にはヘアキャッチャ３を回転させるので、掃除用部材４で封水筒２の内面を掃除できる。またヘアキャッチャ３はトラップ本体１に対して固定せず単にヘアキャッチャ収納部１０に回転自在に収納してあるだけでも良いものとする。
【図面の簡単な説明】
【００３５】
【図１】本発明の実施の形態の一例を示す排水トラップの断面図である。
【図２】同上のＡ部拡大図である。
【図３】同上の掃除用部材を取付けたヘアキャッチャの平面図である。
【図４】同上の掃除用部材の斜視図である。
【図５】同上の掃除用部材の平面図である。
【図６】従来の排水トラップの断面図である。
【符号の説明】
【００３６】
１  トラップ本体
２  封水筒
３  ヘアキャッチャ
４  掃除用部材
７  封水部
【図１】
2008106553.tif 000003
【図２】
2008106553.tif 000004
【図３】
2008106553.tif 000005
【図４】
2008106553.tif 000006
【図５】
2008106553.tif 000007
【図６】
2008106553.tif 000008